(57)【要約】      （修正有）【課題】着用時にバストカップの基底輪郭部に変形が生じるのを抑制し、バストカップが人体にフィットし良好な着用感及びバストの補正力を形成することが可能な二次元方式による膨出部を形成する女性用衣料の三次元化構造を提供する。【解決手段】バストカップ体１３及びフロントパネル１０は、バスト基底部の人体湾曲部を形成、位置する下端部近傍とバスト基底部の内周及び外周の相互を湾曲した形状に切り欠いた第１の切欠部４０，４１を有する。フロントパネル１０は、人体の胸回り方向に沿った長さを対応するバストカップ体１３の長さよりＬ０だけ短く設定し、フロントパネル１０の長さの不足分を伸張させた状態で、第１の切欠部４０，４１の対向する端縁同士を接合してバストカップ部を三次元形状に形成する。【選択図】図２
2015127461.tif 000002
【特許請求の範囲】
【請求項１】
三次元形成を意図に設計された複数の二次元形状パネルを接合することにより形成されるバストカップ部を有する女性用衣料の三次元化構造において、
前記複数の二次元形状パネルを接合することにより前記バストカップ部を構成するバストカップ体と、前記バストカップ体に接合され当該バストカップ体を保持する二次元形状パネルからなる身頃体とを備え、
前記バストカップ体及び前記身頃体は、バスト基底部の人体湾曲部を形成、位置する下端部近傍と前記バスト基底部の内周及び外周の相互を湾曲した形状に切り欠いた第１の切欠部を有するとともに、前記バストカップ体と接合されて前記バスト基底部を形成する身頃体は、伸縮性を有する素材からなり、人体の胸回り方向に沿った長さを対応する前記バストカップ体の長さより短く設定し、
前記バストカップ体及び前記身頃体は、前記身頃体の長さの不足分を伸張させた状態で、前記第１の切欠部の対向する端縁同士を接合して、前記バスト基底部の下端部近傍を前記人体のバスト基底部の湾曲に対応した三次元形状に形成するとともに、
前記バストカップ体と前記身頃体との接合部のうち、人体の中央部側の上端部に位置するバスト基底部は、人体のバスト基底輪郭線よりも曲率を大きく設定したことを特徴とする二次元方式による膨出部を形成する女性用衣料の三次元化構造。
【請求項２】
前記バスト基底部における前記バストカップ体の曲率より前記身頃体の曲率を大きく設定したことを特徴とする請求項１に記載の二次元方式による膨出部を形成する女性用衣料の三次元化構造。
【請求項３】
前記バストカップ体は、前記人体のバストを覆い当該バストのシルエットを前記人体中心側上部へ移動させた形状に設定されていることを特徴とする請求項１又は２に記載の二次元方式による膨出部を形成する女性用衣料の三次元化構造。
【請求項４】
前記バストカップ体は、互いに接合される上カップパネルと下カップパネルとを備え、前記上カップパネルの接合部は、前記下カップパネルの接合部よりも長く設定し、かつ前記下カップパネルを固定状態とするための接合部は、当該長さを一致させるため、前記下カップパネルを伸張させた状態で前記上カップパネルを襞とならぬ状態でいせ込むことによって前記下カップパネルと接合することにより、前記上カップパネルのバストトップ近傍の接合部に三次元的な膨らみを形成させ、
前記バストカップ体及び前記身頃体は、前記バスト基底部の体側部に、前記バスト基底部の内側及び外側にそれぞれ位置するよう湾曲した形状に切り欠いた第２の切欠部を有しているとともに、前記第２の切欠部の対向する端縁同士を接合し、人体側に向けて凹形状に形成したことを特徴とする請求項１乃至３のいずれかに記載の二次元方式による膨出部を形成する女性用衣料の三次元化構造。
【請求項５】
前記身頃体は、前記バストカップ体との接合部における人体体側部のバスト基底に形成された、前記第１の切欠部と前記第２の切欠部とが交わる突起点を起点とし前記身頃体の下端縁を底辺とする略三角形状の領域にわたって当該身頃体の人体胸部の周方向に沿った長さを縮小させた縮小部を設けたことを特徴とする請求項１乃至４のいずれかに記載の二次元方式による膨出部を形成する女性用衣料の三次元化構造。
【請求項６】
前記第２の切欠部のうち、前記身頃体に設けられる切欠部を前記バストカップ体に設けられる切欠部よりも短く設定したことを特徴とする請求項４又は５に記載の二次元方式による膨出部を形成する女性用衣料の三次元化構造。
【請求項７】
前記バストカップ体を構成する前記上カップパネルと下カップパネルとの接合部は、前記バストトップよりも体側部側において対向する端縁に、当該端縁よりも内側に向けて切り欠いた第３の切欠部を有し、当該第３の切欠部の対向する端縁同士を接合し、前記前記バストトップよりも体側部側の領域を人体側に向けて凹形状に形成したことを特徴とする請求項１乃至６の何れかに記載の二次元方式による膨出部を形成する女性用衣料の三次元化構造。
【請求項８】
前記身頃体の人体の背面側に配置される背面側身頃体を備え、前記身頃体と前記背面側身頃体との接合部は、対向する端縁に当該端縁よりも内側に向けて切り欠いた第４の切欠部を有し、当該第４の切欠部の対向する端縁同士を接合したことを特徴とする請求項１乃至７の何れかに記載の二次元方式による膨出部を形成する女性用衣料の三次元化構造。
【請求項９】
前記身頃体の第１の切欠部は、前記バストカップ体の第１の切欠部よりも前記人体の胸回り方向に沿った長さを短く設定し、前記人体のバスト基底部の下部における保持力を高めたことを特徴とする請求項２に記載の二次元方式による膨出部を形成する女性用衣料の三次元化構造。
【請求項１０】
前記バストカップ体は、スクエアカット等のバストカップ構成からなることを特徴とする請求項１乃至９のいずれかに記載の二次元方式による膨出部を形成する女性用衣料の三次元化構造。
【請求項１１】
前記女性用衣料の三次元化構造は、前記女性用衣料の裏面を構成するものであることを特徴とする請求項１乃至１０のいずれかに記載の二次元方式による膨出部を形成する女性用衣料の三次元化構造。
【請求項１２】
前記バストカップ体を含めた前記身頃体の三次元化によって創設された湾曲化構造をベースに、前記人体のバストの弾力性に応じた、前記バスト基底部から前記人体の体側部側上端に至る稜線角度を設定し、且つ前記人体個々の特性を生かしつつバストを支え所望の形状化を図ることを特徴とする請求項１乃至１１のいずれかに記載の二次元方式による膨出部を形成する女性用衣料の三次元化構造。
【請求項１３】
前記バストカップ体は、パッド体を備え、前記バスト基底部の下端部から前記人体のチェストラインに配設される前記身頃体の端縁形状を前記パッド体の形状に適合させたことを特徴とする請求項１乃至１２のいずれかに記載の二次元方式による膨出部を形成する女性用衣料の三次元化構造。
【請求項１４】
前記バストカップ体に連動する前記身頃体は、前記バストカップ構造に準ずる構成部を、少なくとも前記バスト基底部の下端部から前記人体の体側部に配設される裏当部材を以て連接形成し、当該バスト連接裏当部材によって、前記人体のバストを人体中央部上方への移動を促すことを特徴とする請求項１乃至１３のいずれかに記載の二次元方式による膨出部を形成する女性用衣料の三次元化構造。
【発明の詳細な説明】
【技術分野】
【０００１】
この発明は、ブラジャー、ブラスリップ、ボディスーツ、ブラキャミソール、水着等のバストカップ部を有する女性用衣料に係り、当該バストカップ部を構成するバストカップ体が内蔵又は複合されたコンビネーション衣料を含む二次元方式による膨出部を形成する女性用衣料の三次元化構造に関するものである。
【背景技術】
【０００２】
従来、この種のバストカップ部を有する女性用衣料としてのブラジャーは、例えば、複数の二次元形状パネルを接合する二次元方式により、図２１に示すように、上カップ布１０１と下カップ布１０２の対向する辺を縫い代を介して互いに縫着することによって、左右のバストカップを所定の形状に構成するとともに、左右のバストカップを、当該バストカップの下方であって人体中央部から体側部にわたり配置される下辺身頃布１０３と縫着し、更に左右の下辺身頃布１０３の人体中央部側の対向する辺同士、及び下辺身頃布１０３の体側部に背面身頃布１０４を縫着することによって構成されている。また、当該対向する上下のバストカップ布辺、並びに当該対向するバストカップと身頃の辺は、原則同一寸法で構成されている。
【０００３】
また、上記ブラジャーは、必要に応じてバストカップの裏面側にパッド部材や裏面側を覆う被覆布を縫着することによって製造される。
【先行技術文献】
【特許文献】
【０００４】
【特許文献１】特開２０１０−１３８５２１号公報
【発明の概要】
【発明が解決しようとする課題】
【０００５】
しかしながら、上記従来技術の場合には、次のような技術的課題を有している。すなわち、上記従来のブラジャーの場合には、当該ブラジャー着用時のその装着力を後部身頃布（バックパネル）が有する伸張力を以て形成していることから、既存の二次元設計においては当該伸張力が、バストカップ部にダイレクトに掛かり、且つ二次元設計の上に形成されたバストカップ基底に大きなひずみを生むものとなり、良好な着用感及びバストの補正形状を得難いという技術的課題を有していた。
【０００６】
更に説明すると、上記従来のブラジャーの場合には、製品本体を平面状の基盤とし、且つ恰も人体前方９０度に配設した円錐体形状のバストカップとその背面側の延長線上に配置された後身頃とを有する、平面的且つ直線的な伸張力を前提とする二次元的な設計思想の下に製造されていた。かかる従来製品は、先ず人体装着時に、人体の胸部外周に掛けて湾曲化した形状を成す人体骨格によって、バストカップの両端部が閉じた脚部が開脚化されるように、更には当該９０度設計の円錐体のトップが１２０度方向に開き、且つ平面状に形成されたバスト基底部が湾曲する人体の形状に対応することができないものであった。また、上記人体の湾曲形状に対応不可能な領域が人体との間に抵抗を生じさせて製品基盤の歪みとなり、当該製品基盤の歪みがそのままバストカップの歪みを引き起こし、後身頃の伸張力がバスト基底部の拡張を促してバストカップの容積が大幅に減少し、その結果バストに対応して円錐形状に形成された中心領域は、バストを体側部側に引き込み潰す結果を生むという技術的課題を有していた。
【０００７】
そこで、この発明は、上記従来技術の課題を解決するものであり、その目的とするところは、バストカップ部を有する女性用衣料において、着用時にバストカップの基底輪郭部に変形が生じるのを抑制し、バストカップが人体にフィットし良好な着用感及びバストの補正力を形成することが可能な二次元方式による膨出部を形成する女性用衣料の三次元化構造を提供することにある。
【０００８】
また、この発明は、複雑且つ精巧な能力を要する生産技術と力の配分関係を可能な限りシンプル化し、製造化を図ることを目的とする。
【０００９】
さらに、この発明は、上記二次元の欠点を排除した三次元化構造を提供するものであり、且つ平面体にふくらみや力線を形成することに加え、人体バスト前中心側部を圧迫し潰す弱点の排除に留まらず、逆にバストカップの容積を美的領域に移動拡大させるバスト脇側下部からバスト側部に亘り人体生理学上問題の無いレベルの圧迫力（押える力）に転換させ、バスト移動力を高めることをも目的とする。
【課題を解決するための手段】
【００１０】
この発明は、上記課題を解決するため、次のような技術的手段を採用している。すなわち、請求項１に記載された発明は、三次元形成を意図に設計された複数の二次元形状パネルを接合することにより形成されるバストカップ部を有する女性用衣料の三次元化構造において、
前記複数の二次元形状パネルを接合することにより前記バストカップ部を構成するバストカップ体と、前記バストカップ体に接合され当該バストカップ体を保持する二次元形状パネルからなる身頃体とを備え、
前記バストカップ体及び前記身頃体は、バスト基底部の人体湾曲部を形成、位置する下端部近傍と前記バスト基底部の内周及び外周の相互を湾曲した形状に切り欠いた第１の切欠部を有するとともに、前記バストカップ体と接合されて前記バスト基底部を形成する身頃体は、伸縮性を有する素材からなり、人体の胸回り方向に沿った長さを対応する前記バストカップ体の長さより短く設定し、
前記バストカップ体及び前記身頃体は、前記身頃体の長さの不足分を伸張させた状態で、前記第１の切欠部の対向する端縁同士を接合して、前記バスト基底部の下端部近傍を前記人体のバスト基底部の湾曲に対応した三次元形状に形成するとともに、
前記バストカップ体と前記身頃体との接合部のうち、人体の中央部側の上端部に位置するバスト基底部は、人体のバスト基底輪郭線よりも曲率を大きく設定したことを特徴とする二次元方式による膨出部を形成する女性用衣料の三次元化構造である。
【００１１】
また、請求項２に記載された発明は、前記バスト基底部における前記バストカップ体の曲率より前記身頃体の曲率を大きく設定したことを特徴とする請求項１に記載の二次元方式による膨出部を形成する女性用衣料の三次元化構造である。
【００１２】
さらに、請求項３に記載された発明は、前記バストカップ体は、前記人体のバストを覆い当該バストのシルエットを前記人体中心側上部へ移動させた形状に設定されていることを特徴とする請求項１又は２に記載の二次元方式による膨出部を形成する女性用衣料の三次元化構造である。
【００１３】
又、請求項４に記載された発明は、前記バストカップ体は、互いに接合される上カップパネルと下カップパネルとを備え、前記上カップパネルの接合部は、前記下カップパネルの接合部よりも長く設定し、かつ前記下カップパネルを固定状態とするための接合部は、当該長さを一致させるため、前記下カップパネルを伸張させた状態で前記上カップパネルを襞とならぬ状態でいせ込むことによって前記下カップパネルと接合することにより、前記上カップパネルのバストトップ近傍の接合部に三次元的な膨らみを形成させ、
前記バストカップ体及び前記身頃体は、前記バスト基底部の体側部に、前記バスト基底部の内側及び外側にそれぞれ位置するよう湾曲した形状に切り欠いた第２の切欠部を有しているとともに、前記第２の切欠部の対向する端縁同士を接合し、人体側に向けて凹形状に形成したことを特徴とする請求項１乃至３のいずれかに記載の二次元方式による膨出部を形成する女性用衣料の三次元化構造である。
【００１４】
又、請求項５に記載された発明は、前記身頃体は、前記バストカップ体との接合部における人体体側部のバスト基底に形成された、前記第１の切欠部と前記第２の切欠部とが交わる突起点を起点とし前記身頃体の下端縁を底辺とする略三角形状の領域にわたって当該身頃体の人体胸部の周方向に沿った長さを縮小させた縮小部を設けたことを特徴とする請求項１乃至４のいずれかに記載の二次元方式による膨出部を形成する女性用衣料の三次元化構造である。
【００１５】
また、請求項６に記載された発明は、前記第２の切欠部のうち、前記身頃体に設けられる切欠部を前記バストカップ体に設けられる切欠部よりも短く設定したことを特徴とする請求項４又は５に記載の二次元方式による膨出部を形成する女性用衣料の三次元化構造である。
【００１６】
さらに、請求項７に記載された発明は、前記バストカップ体を構成する前記上カップパネルと下カップパネルとの接合部は、前記バストトップよりも体側部側において対向する端縁に、当該端縁よりも内側に向けて切り欠いた第３の切欠部を有し、当該第３の切欠部の対向する端縁同士を接合し、前記前記バストトップよりも体側部側の領域を人体側に向けて凹形状に形成したことを特徴とする請求項１乃至６の何れかに記載の二次元方式による膨出部を形成する女性用衣料の三次元化構造である。
【００１７】
又、請求項８に記載された発明は、前記身頃体の人体の背面側に配置される背面側身頃体を備え、前記身頃体と前記背面側身頃体との接合部は、対向する端縁に当該端縁よりも内側に向けて切り欠いた第４の切欠部を有し、当該第４の切欠部の対向する端縁同士を接合したことを特徴とする請求項１乃至７の何れかに記載の二次元方式による膨出部を形成する女性用衣料の三次元化構造である。
【００１８】
また、請求項９に記載された発明は、前記身頃体の第１の切欠部は、前記バストカップ体の第１の切欠部よりも前記人体の胸回り方向に沿った長さを短く設定し、前記人体のバスト基底部の下部における保持力を高めたことを特徴とする請求項２に記載の二次元方式による膨出部を形成する女性用衣料の三次元化構造である。
【００１９】
さらに、請求項１０に記載された発明は、前記バストカップ体は、スクエアカット等のバストカップ構成からなることを特徴とする請求項１乃至９のいずれかに記載の二次元方式による膨出部を形成する女性用衣料の三次元化構造である。
【００２０】
又、請求項１１に記載された発明は、前記女性用衣料の三次元化構造は、前記女性用衣料の裏面を構成するものであることを特徴とする請求項１乃至１０のいずれかに記載の二次元方式による膨出部を形成する女性用衣料の三次元化構造である。
【００２１】
更に、請求項１２に記載された発明は、前記バストカップ体を含めた前記身頃体の三次元化によって創設された湾曲化構造をベースに、前記人体のバストの弾力性に応じた、前記バスト基底部から前記人体の体側部側上端に至る稜線角度を設定し、且つ前記人体個々の特性を生かしつつバストを支え所望の形状化を図ることを特徴とする請求項１乃至１１のいずれかに記載の二次元方式による膨出部を形成する女性用衣料の三次元化構造である。
【００２２】
また、請求項１３に記載された発明は、前記バストカップ体は、パッド体を備え、前記バスト基底部の下端部から前記人体のチェストラインに配設される前記身頃体の端縁形状を前記パッド体の形状に適合させたことを特徴とする請求項１乃至１２のいずれかに記載の二次元方式による膨出部を形成する女性用衣料の三次元化構造である。
【００２３】
さらに、請求項１４に記載された発明は、前記バストカップ体に連動する前記身頃体は、前記バストカップ構造に準ずる構成部を、少なくとも前記バスト基底部の下端部から前記人体の体側部に配設される裏当部材を以て連接形成し、当該バスト連接裏当部材によって、前記人体のバストを人体中央部上方への移動を促すことを特徴とする請求項１乃至１３のいずれかに記載の二次元方式による膨出部を形成する女性用衣料の三次元化構造である。
【発明の効果】
【００２４】
この発明によれば、バストカップ部を有する女性用衣料において、着用時に人体の湾曲体によりフィットすると同時に既存の当該衣料の大きな欠点であるバストカップ基底輪郭部の変形を抑制し、さらに補正力を形成することの可能な二次元方式による膨出部を形成する女性用衣料の三次元化構造を提供することができる。
【図面の簡単な説明】
【００２５】
【図１】この発明の実施の形態１に係るバストカップ部を有する女性用衣料としてのブラジャーを示す外観構成図である。
【図２】この発明の実施の形態１に係るバストカップ部を有する女性用衣料としてのブラジャーの要部を示す模式図である。
【図３】この発明の実施の形態１に係るバストカップ部を有する女性用衣料としてのブラジャーのバストカップ部を構成する切欠部が形成されていない素材を示す構成図である。
【図４】バストカップ体を示す側面図及び断面図である。
【図５】この発明の実施の形態１に係るバストカップ部を有する女性用衣料としてのブラジャーのバストカップ部を構成する切欠部が形成された素材を示す構成図である。
【図６】ブラジャーの縫製工程のうち、第一工程である下カップの縦接ぎを終えた状態を示す構成図である。
【図７】ブラジャーの縫着状態を示す斜視構成図である。
【図８】この発明の実施の形態１に係るバストカップ部を有する女性用衣料としてのブラジャーの作用を示す外観構成図である。
【図９】この発明の実施の形態に係るブラジャーと従来のブラジャーとを示す説明図である。
【図１０】この発明の実施の形態２に係るバストカップ部を有する女性用衣料としてのブラジャーの作用を示す外観構成図である。
【図１１】この発明の実施の形態２に係るバストカップ部を有する女性用衣料としてのブラジャーのバストカップ部を構成する切欠部が形成されていない素材を示す構成図である。
【図１２】この発明の実施の形態３に係るバストカップ部を有する女性用衣料としてのブラジャーを示す斜視図である。
【図１３】この発明の実施の形態３に係るバストカップ部を有する女性用衣料としてのブラジャーを示す外観構成図である。
【図１４】この発明の実施の形態３に係るバストカップ部を有する女性用衣料としてのブラジャーのバストカップ部を構成する切欠部が形成されていない素材を示す構成図である。
【図１５】この発明の実施の形態３に係るバストカップ部を有する女性用衣料としてのブラジャーのバストカップ部を構成する切欠部が形成された素材を示す構成図である。
【図１６】この発明の実施の形態３に係るバストカップ部を有する女性用衣料としてのブラジャーを従来の二次元パターンによるブラジャーと比較して示す構成図である。
【図１７】この発明の実施の形態３に係るバストカップ部を有する女性用衣料としてのブラジャーを従来の二次元パターンによるブラジャーと比較して示す構成図である。
【図１８】この発明に係るバストカップ部を有する女性用衣料としてのブラジャーの変形例を示す構成図である。
【図１９】この発明に係るバストカップ部を有する女性用衣料としてのブラジャーの変形例を示す構成図である。
【図２０】この発明に係るバストカップ部を有する女性用衣料としてのブラジャーの変形例を示す要部構成図である
【図２１】従来のブラジャーを示す分解構成図である。
【発明を実施するための形態】
【００２６】
以下に、この発明の実施の形態について図面を参照して説明する。
【００２７】
実施の形態１
図１はこの発明の実施の形態１に係る二次元方式による膨出部を形成する女性用衣料の三次元化構造を適用したバストカップ部を有する女性用衣料としてのブラジャーを示すものである。なお、実施の形態１に係るパターンは、請求項１に記載された発明を３／４カップのブラジャーに適用したものである。
【００２８】
このブラジャー１は、複数の二次元形状パネルを接合する二次元方式により、膨出部としてのバストカップ部を含め三次元形状に形成されている。ブラジャー１は、図１に示すように、女性の胸部に位置する左右のバスト部分（膨出部）をそれぞれ覆う左右のバストカップ部２，３を備えており、これら左右のバストカップ部２，３は、前身頃１０，１１（フロントパネル）によって保持されたバストカップ部２，３とし、人体の前面側に位置する胸部の中央で互いに縫着等の手段によって一体的に接合されている。この実施の形態におけるバストカップ部２，３は、例えば、体型や年齢等を問わず、女性の胸部に位置する左右のバスト部分を約３／４程度に覆う３／４カップとして構成されるが、他のフルカップや１／２カップなど他のカップ形状に構成しても良いことは勿論である。
【００２９】
上記左右のバストカップ部２，３には、図１に示すように、その左右両側に女性の体の背面側にわたって装着される背面側身頃体としてのバックパネル４，５が縫着されており、これら左右のバックパネル４，５の先端には、図示しないフックやアイ等からなる連結具が装着されている。また、左右のバストカップ部２，３の略三角形状に形成された上端部には、左右のストラップ６，７がそれぞれ設けられている。なお、ブラジャーとしては、ストラップを有しないストラップレスタイプのものであっても良い。
【００３０】
一般に、ブラジャーは、女性のバスト形状を美しく表現することを目的としており、特に乳房輪郭線を球体状化させる意図を以てバストカップを保持するパネル（身頃体）をバスト基底部の輪郭で切断し、乳房立体包容部であるバストカップ体と区分するように構成されている。さらに、最近のブラジャーは、人体にフィットさせることの視点から、バストをアウターにおける理想のシルエットに近づけようとする意図が図られ、特にバストトップ位置を前中心中央上部に引き上げようとする方向にあるが、二次元をベースに対応を図るものであり、多くの着用者との間にギャップを生んでいる実態がある。
【００３１】
然るに、人体の表面に位置するバストに対応したバストカップ部２，３の基底体側部は、原則的に、当該人体体側部の湾曲部領域に組み込まれている。故にバストカップ部２，３の固定部は、当該体側部の湾曲形状に相応する形状に湾曲化されていなければならないと同時に、当該バストカップ部２，３の基底部と連動を図るフロントパネル（前身頃体）並びにサイドパネル（体側部身頃体）も同じ設計思想に立たなければならないが、従来のブラジャー等の女性用衣料においては、二次元的な設計思想から脱却できず、この点が考慮されていなかった。
【００３２】
さらに説明すると、ブラジャー等の女性用衣料においては、今後、着用性、フィット性、ソフト性による身頃体のストレッチ化がますます進化する傾向にあるが、身頃部量の少ないフロントパネルは、バックパネルの伸張力により後部（人体の背面側）に引っ張られることとなり、バストカップの特にバスト基底部に歪みを与える力となって働き、バストカップのバスト基底部に変形を生じることにより、バストカップの立体形状（バストのシルエット）が本来の形状から崩れてしまい、その防止策として当該フロントパネルを、ハードな非伸張性の設計とすることから、十分且つ良好な着用感が得難いものとなっているのが実態である。
【００３３】
この実施の形態は、原則として、製品の基布となる一枚の素材によるブラジャー１を前提としているが、当該ブラジャー１の大半を構成するバストカップ部２，３並びにフロントパネル１０，１１においては、当該ブラジャー１の役割を更に補い維持構成させるための手段として、必要に応じて、バストパッドや裏当て構成、二重構成、樹脂コーティング等の技術が併用される。
【００３４】
この実施の形態では、三次元形成を意図に設計された複数の二次元形状パネルを接合することにより形成されるバストカップ部を有する女性用衣料の三次元化構造において、前記複数の二次元形状パネルを接合することにより前記バストカップ部を構成するバストカップ体と、前記バストカップ体に接合され当該バストカップ体を保持する二次元形状パネルからなる身頃体とを備え、前記バストカップ体及び前記身頃体は、バスト基底部の下端部近傍を人体のバスト基底部の湾曲に対応した三次元形状とするよう構成されている。
【００３５】
バストカップ体の本来の役割としては、1)バストを外害から守る、2)バストを医療的側面から保護する、3)当該バストを社会的被服環境に合わせカバーする、4)且つ当該レベルに対する個人的マイナスをカバーする、5)年齢等により下垂化するバストを支える、6)人体美学的プロポーションに移動させ近づける機能などが挙げられる。
【００３６】
これらの機能を実現するため、この実施の形態では、前記バストカップ体及び前記身頃体は、バスト基底部の人体湾曲部を形成、位置する下端部近傍と前記バスト基底部の内周及び外周の相互を湾曲した形状に切り欠いた第１の切欠部を有するとともに、前記バストカップ体と接合されて前記バスト基底部を形成する身頃体は、伸縮性を有する素材からなり、人体の胸回り方向に沿った長さを対応する前記バストカップ体の長さより短く設定し、前記バストカップ体及び前記身頃体は、前記身頃体の長さの不足分を伸張させた状態で、前記第１の切欠部の対向する端縁同士を接合して、前記バスト基底部の下端部近傍を前記人体のバスト基底部の湾曲に対応した三次元形状に形成している。
【００３７】
更に説明すると、この実施の形態に係るブラジャー１は、図２に示すように、バストを支え保持する領域を強化するものである。ブラジャー１は、三次元のバスト基底の上にバストの湾曲化並びに、バストトップ近傍の三次元形状化を図るものである。
【００３８】
身頃体としてのフロントパネル１０，１１領域の役割は、1)上記バストカップの基本的役割を連帯の上に人体に抵抗なくフィットさせ、2)当該人体バストの重量並びに容積をカバーするバストカップ体と連帯し安定保持することにある。
【００３９】
この実施の形態では、前記バストカップ体は、互いに接合される上カップパネルと下カップパネルとを備え、前記上カップパネルの接合部は、前記下カップパネルの接合部よりも長く設定し、前記上カップパネルは、相対的に長く設定した接合部を、長さが短くなるように押し込んだ状態で前記下カップパネルと接合することにより、前記上カップパネルのバストトップ近傍の接合部に三次元的な膨らみを形成させるように構成し、バストカップ体と身頃体の三次元化によって、人体の三次元的な膨らみに対応させ更に美的効果を高めるものである。
【００４０】
バスト基底部１２の下端部近傍（下端部及びその両側に隣接する領域）は、図２に示すように、略半球体状であるバストを保持する役割を有している。このバスト基底部１２の下端部近傍は、身頃体としてのフロントパネル１０においてバストカップ部２，３が湾曲形状にくり抜かれた最も幅が狭い領域であり、バストを保持する役割を担うためには、人体へのフィット化を図る能力が不十分となる虞れを有している。なお、左右のフロントパネル１０，１１は、左右対称な形状に形成されており、以下、左側のフロントパネル１０について説明する。
【００４１】
この実施の形態では、図２に示すように、ブラジャー１を女性の体に着用するためのフロントパネル（前身頃体）１０を女性のバストの基底輪郭部（基底部）１２で切断し、乳房立体包容部であるバストカップ体１３と区分するように構成されている。このように、この実施の形態１に係るブラジャー１のバストカップ部２，３は、大別して、複数のパネルを接合して構成され女性のバストを覆うバストカップ体１３と、当該バストカップ体１３の下方であって人体の中央部から体側部にわたって配置され、バストカップ体１３と接合されることにより当該バストカップ体１３を保持するフロントパネル１０とから構成されている。そして、バストカップ体１３の下方に接合されるフロントパネル１０は、伸縮性を有する布状の素材からなり、例えば、フロントボディ一体型（一枚構成）として形成される。尚、当該フロントパネル１０を構成する素材は、バストカップ体１３と並んで低伸張率の素材であっても良い。
【００４２】
本発明の実施の形態１では、三次元化設計を第一とし、当該基本の上に得られる能力を「三次元的能力」（動的能力）に転化し、乳房の美的構造化を図ることを意図とするものであり、当該能力を明確にするために本実施の形態は、フロントパネル１０の全体を約２５％の伸張時において最も良いフィット性を得られる規格を前提とするものである。
【００４３】
その前提の上に、現二次元設計と対比すれば、バストカップ体１３は視覚的（静的）な美を前提とする略半球体設計であり、且つ静的設計であり、本発明の動的伸張を組み込んだ設計ではないことから乳房容量を動かすという発想はなく、型に嵌め込むというものである。
【００４４】
本実施の形態は、当該動きを形成するために、バストカップ体１３の下部から体側部上部に掛けてのバストトップに向けた傾斜角を（人体の下垂状態、乳房の重量状態によって異なるが）、理想とするバストトップのシルエットを形成することが可能な角度に鋭角化し、更に必要な場合は後述する実施の形態の如く凹状化を図り、更に当該作用によって移動化されたバストトップを含む容積を受け入れる魅惑的な膨らみの形成を図るものである。
【００４５】
図３は本発明を適用する前の二次元方式によるパターン形状を示すものであり、当該パターン形状に対して次に述べるように斜線を施した切欠部を切り欠くことによって、本実施の形態に係る三次元形状化を図った二次元形状パターンを得るものである。
【００４６】
この実施の形態に係るバストカップ体１３は、図３に示すように、本身頃と一体を前提とする伸縮性を有する素材構成を前提としているが、他の素材を用いても良いことは勿論である。現状の日本人女性向けの製品には、繊維のパイルを積層体化した不織布シート体による裏当やパッド構成が採用されるが、当該構成も原則として上記表カップ設計を前提にパイル積層をヨコ積層とするのではなくタテ積層とする動性を持たせることが望ましい。
【００４７】
本バストカップ体１３は、図２に示すように、上カップ１３ａと、下カップ１３ｂとを備えており、下カップ１３ｂから上カップ１３ａの体側部上縁までのバストの移動を促す領域と、当該移動されたバストの容積を以て膨らみのある魅惑的バスト形成を図る機能を有することから、当該領域区分とする斜め接ぎにて接合されることが好ましい。上述した基本機能を逸脱する当該下カップ１３ｂから上カップ１３ａの体側部上縁までのバストの移動を伴わないバスト体型においては、逆に容積を補う厚みを形成するパッド体等を以て造形化することが好ましく、又、当該基本機能では対応することができない重量を持つバスト体型においては、当該重量を保持する弾性力、伸張力を必要とし、それに伴う素材が選別されるが、可能な限りバストの移動を阻害しないことを前提とする。
【００４８】
上カップ１３ａを形成する上カップパネル１７は、図３に示すように、人体の中央部側に位置する相対的に長く形成された湾曲形状の第１の上端縁１９がチェスト部に位置する端縁を形成しているとともに、人体の体側部側に位置する相対的に短く形成された湾曲形状の第２の上端縁２０がアームピット側に位置する端縁を形成している。また、上記第１の上端縁１９と第２の上端縁２０との間には、略三角形状に形成されたストラップを縫着するための縫着部２１を備えている。なお、バストカップ体１３は、図３に示すものに限定されるものではなく、スクエアカット等のバストカップ構成からなるものを用いても良い。
【００４９】
当該実施形態の一般的な３／４カップ形成においては、上カップパネル１７は、第１の上端縁１９の人体中央部側に位置する端部に縦方向（上下方向）に沿って相対的に短く形成された曲線状の中央部側端縁２２を備えているとともに、第２の上端縁２０の体側部側に位置する端部に縦方向に沿って相対的に長く形成された直線状又は曲線状の体側部側端縁２３を備えている。
【００５０】
さらに、上カップパネル１７は、その下端部に下カップパネル１８と縫着される接ぎ線部としての下端縁２４を備えており、この下端縁２４の多くは、対面する下カップパネル１８の上端縁２５より湾曲率が小さく形成されている。また、下端縁２４は、バストトップ（乳頭）に対応した位置２４ｃを境にして人体中央部側に位置する第１の下端縁２４ａと、人体の体側部側に位置する第２の下端縁２４ｂとに分けられる。また、第１の下端縁２４ａの長さは、第２の下端縁２４ｂよりも相対的に短く設定されている。
【００５１】
一方、下カップパネル１８は、相対的に曲率半径が小さい（曲率が大きい）湾曲形状に形成された上端縁２５と、相対的に曲率半径が大きい（曲率が小さい）湾曲形状に形成された下端縁２６とによって囲まれた略紡錘形状に形成されている。また、下カップパネル１８の接ぎ線部としての上端縁２５には、下端縁２６近傍にまで達する深さ及び中心角を有する細長い略Ｖ字形状の溝部２７が設けられている。下カップパネル１８の上端縁２５は、溝部２７によって人体中央部側の上端縁２５ａと体側部側の上端縁２５ｂとに分割されている。なお、略Ｖ字形状の溝部２７の中心角は、下カップパネル１８の湾曲形状を決定するものであり、バストカップ体１２のサイズ並びに形状等に応じて適宜設定される。但し、当該ブラジャー１は、バスト重量を支える機能を有することを求められ、通常その最も役割を担う下カップ１３ｂは、造形を前提とする伸張力の小さい素材構成の場合は、当該Ｖ字形状の溝部２７は完全に分割させ、且つわずかに当該端縁部を湾曲化させることが望ましく、且つ本実施形態の伸張性のある素材に基づく場合は、当該Ｖ字形状の溝部２７は直線若しくは凹状化を以て撓みを吸収するか、Ｖ字形状の溝部２７を持たない一体構成の二重構成とすることが求められる。
【００５２】
さらに、上カップパネル１７の下端縁２４は、下カップパネル１８の上端縁２５（上端縁２５ａと２５ｂを加えた長さ）より所定の長さ（例えば、０．５〜２．０ｃｍ程度）だけ長く設定されており、上カップパネル１７の下端縁２４を下カップパネル１８の上端縁２５に縫着する際に、所定の長さだけ長く設定された上カップパネル１７をバストトップ（乳頭）２４ｃを境として、中央部側を６〜７割程度、脇側を３〜４割程度、当該長さを一致させるため、下カップパネル１８を伸張させた状態で上カップパネル１７を襞とならぬ状態でいせ込むことによって下カップパネル１８と縫着するよう構成されている。こうすることにより、図４（ａ）に示すように、下カップパネル１８の接ぎ線部より上部にシルエット状のラインを設定し、バストトップＴの近傍を三次元形状に膨らみを持った形状に形成するとともに、上カップパネル１７と下カップパネル１８の接ぎ線がアウターのシルエットに影響を与えることを防止している。なお、図４（ａ）中、破線はいせ込み部を模式的に表わしたものである。
【００５３】
なお、バストカップ体１３にパッド体Ｐを設ける場合には、図４（ｂ）に示すように、バスト基底部の下端部から人体のチェストラインに配設される上カップ１３ａを構成するパネルの端縁形状をパッド体の形状に適合させるように構成するのが望ましい。
【００５４】
また、下カップパネル１８の下端縁２６は、図２に示すように、バストカップ体１３とフロントパネル１０との境界に位置する領域であり、基本的にバスト基底部輪郭１２の形状に基づいて設定される。この実施の形態では、図３に示すように、下カップパネル１８の下端縁２６に、バスト基底部１２に対応した輪郭線の形状よりも内側に位置するように湾曲した三日月形状に切り欠いた第１の切欠部４０が設けられている。即ち、下カップパネル１８の下端縁２６は、バスト基底部１２に対して内側に湾曲した形状に切り欠いて形成されている。これは、下カップパネル１８をフロントパネル１０と縫着した場合に、当該フロントパネル１０に設けられる後述する第１の切欠部４１とともに、バストカップ体１３のバスト基底部輪郭を人体のバストの基底部輪郭１２に対応した三次元形状に形成するためのものである。
【００５５】
更に付言すると、バストカップ体１３とフロントパネル１０との接続部であるバスト基底を平面として捉えた現状のワイヤーボーンは、女性の胸部における人体骨格の三次元的な膨らみを持った形状に対応することができず、人体に抵抗を与えるものとなっている。
【００５６】
一方、フロントパネル１０は、図３に示すように、その左右両端部に位置する上端縁として、人体の中央部側に位置する短い直線状部２８と、体側部側に位置する相対的に長く且つ傾斜した直線状部２９とを備えている。また、フロントパネル１０の直線状部２８、２９の内側に位置する湾曲部３０は、略凹形状となるよう湾曲した形状に形成されている。また、フロントパネル１０の湾曲部３０の体側部側には、上カップパネル１７の体側部側端縁２３と縫着される直線状部３２を備えている。
【００５７】
また、フロントパネル１０の湾曲部３０には、図３（ｃ）に示すように、バスト基底部輪郭１２の形状に対応した形状に形成されておらず、当該バスト基底部輪郭１２よりも外側に湾曲した三日月形状に切り欠いた第１の切欠部４１が形成されている。フロントパネル１０の第１の切欠部４１は、バスト基底部におけるバストカップ体１３の曲率よりフロントパネル１０の曲率が大きくなるよう設定されている。これは、バストカップ体１３が人体の基底輪郭線よりも曲率を大きく設定した以上に、フロントパネル１０の伸張量を差し引いた底辺であるため、フロントパネル１０の曲率が大きいことが望ましいからである。そのため、フロントパネル１０の第１の切欠部４１を形成した後の湾曲部３０’（図５参照）を下カップパネル１８と縫着した際に、当該フロントパネル１０の湾曲部３０の曲率が平面的なバスト基底部輪郭よりも小さくなり、三次元的に湾曲した人体のバスト基底部輪郭にフィットすることとなる。
【００５８】
図５は図３において第１の切欠部を除去したパネルの形状を示す構成図である。なお、図５中、符号２６’は下カップパネル１８の下端縁２６から第１の切欠部４０を切り欠いた後の下端縁を、符号３０’はフロントパネル１０の湾曲部３０から第１の切欠部４１を切り欠いた後の下端縁をそれぞれ示している。
【００５９】
また、この実施の形態１では、前記バストカップ体と接合されて前記バスト基底部を形成する身頃体は、伸縮性を有する素材からなり、人体の胸回り方向に沿った長さを対応する前記バストカップ体の長さより短く設定し、当該長さの不足分を伸張させた状態で前記バストカップ体と接合するよう構成されている。
【００６０】
さらに、この実施の形態１では、バスト基底部の人体中央部側に位置する領域の曲率を人体のバスト基底部の曲率よりも大きく設定するよう構成されている。
【００６１】
すなわち、この実施の形態１では、図２に示すように、バスト基底部１２のうち、人体中央部側の端部に位置する領域１２ａが、人体のバスト基底部１２よりも曲率が小さく設定されてバストカップ体１３側に湾曲した形状に形成されている。
【００６２】
更に説明すると、フロントパネル１０は、図３に示すように、湾曲部３０の人体中央部側に位置する領域３１が、人体のバスト基底部１２よりも曲率が小さく設定されてバストカップ体１３側に湾曲した形状に形成されている。また、下カップパネル１８の下端縁２６のうち、人体中央部側に位置する下端縁２６ａ’が、人体のバスト基底部１２よりも曲率が小さく設定されて内側に湾曲した形状に形成されている。さらに、上カップパネル１７の人体中央部側の端部に位置する中央部側端縁２２は、上記曲率に対応して湾曲した形状となっている。このように構成することにより、バストカップ体１３の形状をより球体状に近い形状に形成することが可能となる。
【００６３】
また、この実施の形態１では、図３（ｃ）及び図５に示すように、バスト基底部１２の下端部近傍に位置するフロントパネル１０の人体へのフィット化を図るため、フロントパネル１０のバスト基底部１２の下端部近傍を構成する人体の胸部回り方向に沿った長さを、バストカップ体１３の下端部近傍を構成する長さよりも所定の長さＬ０だけ短く設定し、フロントパネル１０を引き伸ばした状態でバストカップ体１３と接合させ、着用時に当該フロントパネル１０に作用する張力によってバストカップ体１３の安定した保持を図るよう構成している。尚、図３（ｃ）では、便宜上、フロントパネル１０の長さをＬ０だけ短く形成した状態を示すため、長さＬ０に相当する間隙として図示している。しかし、実際には、図５（ｃ）に示すように、フロントパネル１０に間隙が形成されている訳ではなく、間隙部分を除いた形状に一体的に形成されているものである。
【００６４】
このフロントパネル１０の周囲長と下カップパネル１７の周囲長との差である所定長Ｌ０は、フロントパネル１０を構成する素材の伸張率にもよるが例えば１ｃｍ以上３ｃｍ以下に設定される。この実施の形態では、約１５ｍｍ程度に設定されている。この所定長Ｌ０は、製造時に、フロントパネル１０の湾曲部３０’を伸張させた状態で下カップパネル１７の下端縁２６’と縫着することにより、人体の前面側においてバックパネル４、５の伸張力に対向する対向力（伸張力）を発生させるためのものである。所定長Ｌ０を相体的に短く設定した場合は、収縮力が相体的に小さくなり、所定長Ｌ０を相体的に長く設定した場合は、収縮力が相体的に大きくなる。
【００６５】
バックパネル４，５と連動するフロントパネル１０は、着用時のバックパネル４，５の伸張に伴い、総体が背部に引かれることとなるが、当該フロントパネル１０は、バストカップ体１３の領域を保持形成するため湾曲形状にカットされ、その幅は、バストカップ体１３の接続下辺部において全体の５分の１程度となり、結果的に、当該最も幅が狭くなった領域に張力が集中する。例えば、バックパネル４，５の１５０％に及ぶ伸張力が働くこととなり、仮に当該フロントパネル１０がバストを支え保持する領域を６ｃｍの長さと仮定し、且つ当該フロントパネル１０を１２５％程度の伸張率が望ましいとした場合、当該伸張を超えた１５０％の伸張（略素材最大伸張値）である９ｃｍまでの拡張を予測した３ｃｍの拡張量（９−６＝３）を前提にしてフロントパネル１０底部の圧縮量Ｌ０を設計することが望ましい。
【００６６】
その際、フロントパネル１０の伸張率が１５０％程度に達すると、素材が有する伸張率の限界点に近くなり、大きな伸張力が働く又は延びが止まってしまうことから、２ｃｍ前後の圧縮を前提とするか、エラスチック素材の二重構成を採用することによって適切な伸張率の領域に設定することが望ましい。
【００６７】
このように、フロントパネル１０の圧縮量を設計する意図は、バックパネル４，５が有する伸張力に対向するのみではなく、バストを正しく保持する機能を発揮させることにある。
【００６８】
さらに、フロントパネル１０の底辺３６は、ブラジャー１本体を人体に安定的に維持しフィットさせることを主体にアンダーバスト胴囲を形成するものである。このフロントパネル１０の底辺３６は、人体の形態（直線状体、Ｙ状体、Ｏ状体など）によって直線状化又は湾曲線状化、あるいは逆湾曲線状化した形状に設定されるとともに、製品特性に基づく場合の形態とし、ストラップレスタイプでは準逆湾曲化させ、バンドータイプでは直線状化、バストアップタイプでは湾曲化を意図して設計し、且つデザイン上からこれらを選択することが望ましい。
【００６９】
また、フロントパネル１０の人体中央部側には、他方のフロントパネル１１と縫着される直線状の端縁部３７が設けられているとともに、体側部側には、バストカップ体１２の背面側に設けられるバックパネル４と縫着される直線状の端縁部３８が設けられている。
【００７０】
このフロントパネル１０とバックパネル４との接続は、人体へのフィット性を向上させるため、チェスト周囲長が大きい体型（上記Ｙ状体）や、腹部周囲長が大きくチェスト周囲長が結果として小さい体型、或いは脇部に贅肉のある体型などに応じて、弓字状、直線状、アール状などに設定するのが望ましい。
【００７１】
なお、図３等においては、上カップパネル１７や下カップパネル１８、あるいはフロントパネル１０を互いに縫着するための縫い代が省略されている。
【００７２】
また、上記の如く構成されるフロントパネル１０及びバストカップ体１３は、ブラジャー１の表面側を構成するものであるが、ブラジャー１の裏面側を構成する素材として使用しても良い。
【００７３】
以上の構成において、この実施の形態に係るブラジャーは、次のようにして、バストカップ部を有する女性用衣料において、着用時にバストカップの基底輪郭部に変形が生じるのを抑制し、バストカップが人体にフィットし良好な着用感及びバストの補整形状を得ることが可能となっている。
【００７４】
すなわち、この実施の形態に係るブラジャー１は、図６（ｂ）に示すように、まず、バストカップ体１３を構成する下カップパネル１８の略Ｖ字形状の溝部２７の対向する端縁同士が縫着され、下カップパネル１８が所定の湾曲形状に形成される。
【００７５】
本実施の形態は、基本的に、特に市場の圧倒的シェアを持つと同時に、バスト基底部をベースとするブラジャーの基本スタイルであるキャップスタイルにおける三次元形状化を図るものである。
【００７６】
次に、上記の如く形成された下カップパネル１８の上端縁２５には、上カップパネル１７の下端縁２４ａ、２４ｂがいせ込んだ状態で縫着される。このとき、上カップパネル１７の第１の下端縁２４ａが下カップパネル１８の第１の上端縁２５ａに対応するように縫着されるとともに、上カップパネル１７の第２の下端縁２４ｂが下カップパネル１８の第２の上端縁２５ｂに対応するように縫着される。
【００７７】
このとき、上カップパネル１７の下端縁２４は、下カップパネル１８の上端縁よりも所定の長さだけ周長が長く設定されているため、上カップパネル１７の下端縁２４を下カップパネル１８の上端縁２５に縫着する際に、所定の長さだけ長く設定された上カップパネル１７をバストトップ（乳頭）２４ｃを境として、中央部側を６〜７割程度、脇側を３〜４割程度、いせ込んだ状態（長さが短くなるように押し込んだ状態）で縫着する。こうすることにより、図４（ａ）に示すように、下カップパネル１８の接ぎ線部より上部にシルエット状のラインを設定し、バストトップＴの近傍を三次元形状に膨らみを持った形状に形成するとともに、上カップパネル１７と下カップパネル１８の接ぎ線がアウターのシルエットに影響を与えることを防止している。その結果、上カップパネル１７及び下カップパネル１８からなるバストカップ体１３が所定のカップ形状に形成される。
【００７８】
図７はフロントパネル１０とバストカップ体１３とを縫着した状態を示す斜視図である。
【００７９】
次に、この実施の形態に係るブラジャー１では、図７に示すように、フロントパネル１０がバストカップ体１３と縫着される。フロントパネル１０の人体中央部側の領域３１には、バストカップ体１３の上カップパネル１７の直線状部２２がそのまま縫着される。また、フロントパネル１０の湾曲部３０’には、バストカップ体１３の下カップパネル１８の下端縁２６’が縫着されるが、これらフロントパネル１０の湾曲部３０’及び下カップパネル１８の下端縁２６’には、第１の切欠部４０，４１が設けられている。
【００８０】
そのため、フロントパネル１０の湾曲部３０’を下カップパネル１８の下端縁２６’に縫着することにより形成される縫着部は、図７に示すように、バスト基底部１２より長くなり、その分だけ人体のバスト基底部側に突出した三次元形状に形成される。その結果、フロントパネル１０と下カップパネル１８の縫着部は、人体のバスト基底部に沿って三次元形状に湾曲した形状とすることが可能となる。また、フロントパネル１０は、人体のバスト基底部に沿った三次元形状の湾曲に伴って、人体胸部の湾曲形状に倣った形状に湾曲した状態となる。
【００８１】
その際、上記フロントパネル１０に設けられる第１の切欠部４１は、バストカップ体１３側に設けられる第１の切欠部４０よりも胸部の周方向に沿った長さを長く設定することにより、バストカップ体１３の保持効果を高めることが可能となる。
【００８２】
また、フロントパネル１０の領域は、図８に示すように、ブラジャー１の着用時に、バックパネル４，５によって後部に引かれる引っ張り力Ｆ１に対し、長さＬ０に対応した分だけ伸張されて人体の前中心部に引き戻す力Ｆ２が作用する。
【００８３】
このように、バックパネル４，５の引っ張る力Ｆ１とバストセンター部に引っ張る力Ｆ２を拮抗させること、並びに、バストカップ体１３の体側部を押圧する力に連動して協働するバストを支える力を形成するものである。
【００８４】
図９は従来の二次元設計による製品と本発明の実施形態に係る三次元設計による製品とについて、着用状態をそれぞれ対比した説明図である。
【００８５】
仮に、従来の二次元設計による製品の乳頭ポイントを、本実施の形態の乳頭ポイントと同じ設計にしたとしても、本実施形態の三次元製品では、従来技術による二次元製品に比較して、ブラジャーを着用したときの乳頭の方向が、人体の中央部側に寄った方向となる。また、従来技術による二次元設計による製品の場合は、人体の湾曲に押されてバスト基底部の領域Ｍが人体側に押圧されて抵抗すなわちバストカップ体の歪みとなるのに対して、本実施形態の三次元製品では、バスト基底部の領域が人体の湾曲にフィットした形状となる。
【００８６】
このように、上記実施の形態に係るブラジャー１では、バストカップ体１３のバスト基底部１２に対応した領域を人体の胸部湾曲形状に沿って三次元に湾曲した形状に形成することが可能となる。そのため、ブラジャー１の着用時にバストカップ体１３の基底輪郭部に変形が生じるのを抑制することができ、バストカップ体１３が人体にフィットし良好な着用感及びバストの補正力を形成することが可能となる。
【００８７】
また、この実施の形態では、所定形状に形成されたバストカップ体１３を構成する素材とフロントパネル１０と縫着するのみで、バストカップ体１３及びフロントパネル１０を三次元的な立体形状に形成することができ、複雑且つ精巧な能力を要する生産技術をシンプル化し、容易に製造することが可能となる。
【００８８】
さらに、この実施の形態では、二次元の欠点を排除した三次元化構造を提供するものであり、且つ平面体にふくらみや力線を形成することに加え、人体バスト前中心側部を圧迫し潰す弱点の排除に留まらず、逆にバストカップの容積を美的領域に移動拡大させるバスト脇側下部からバスト側部に亘り人体生理学上問題の無いレベルの圧迫力（押える力）に転換させ、バスト移動力を高めることができる。
【００８９】
実施の形態２
図１０はこの発明の実施の形態２を示すものであり、前記実施の形態１と同一の部分には同一の符号を付して説明すると、この実施の形態２では、前記身頃体は、前記バストカップ体との接合部における人体体側部のバスト基底に形成された領域を起点とし前記身頃体の下端縁を底辺とする略三角形状の領域にわたって当該身頃体の人体胸部の周方向に沿った長さを縮小させた縮小部を設けるように構成されている。
【００９０】
すなわち、この実施の形態２では、図１０及び図１１（ｃ）に示すように、フロントパネル１０のバストカップ体１３の下端部よりも体側部寄りの位置に、当該フロントパネル１０の上端部から下端部に向けて略二等辺三角形状の縮小部５０が設けられている。この縮小部５０は、実際に略二等辺三角形状に切り欠かれている訳ではなく、図１０（ｂ）に示すように、縮小部５０を除いた状態で対向する端縁同士が一体的に形成されているものである。縮小部５０の幅Ｌ１，Ｌ２，Ｌ３は、下方に向けて次第に大きくなるように設定されている。尚、縮小部５０は、フロントパネル１０の上端部から下端部に向けて略二等辺三角形状の領域を切り欠いた後に、当該略二等辺三角形状の領域の対向する端縁同士を縫着等の手段によって接合したものであっても良い。
【００９１】
フロントパネル１０の領域は、図１０（ａ）に示すように、バックパネル４，５によって後部に引かれる引っ張り力Ｆ１に対し、Ａの線上では、フロントパネル１０に設けられる所定長Ｌ０＋縮小部５０の長さＬ１に対応した人体の前中心部に引き戻す力Ｆ２1が、Ｂの線上では、所定長Ｌ０＋縮小部５０の長さＬ２に対応した人体の前中心部に引き戻す力Ｆ２2が、Ｃの線上では、所定長Ｌ０＋縮小部５０の長さＬ３に対応した人体の前中心部に引き戻す力Ｆ２3がそれぞれ作用する（Ｆ２1＜Ｆ２2＜Ｆ２3）。
【００９２】
このように、バックパネル４，５の引っ張る力Ｆ１とバストセンター部に引っ張る力Ｆ２1，Ｆ２2，Ｆ２3を拮抗させること、並びに、バストカップ体１３の体側部を押圧する力に連動して協働するバストを支える力を形成するものである。また、縮小部５０は、下方に行くにしたがって徐々に幅が広くなるように設定されており、当該縮小部５０に作用する力は、ストラップ６，７の引き上げ力に拮抗化させるものでもある。
【００９３】
また、この実施の形態では、図１０（ａ）に示すように、縮小部５０において、フロントパネル１０の伸張力に加えて、縮小部５０が伸張されることによる伸張力が作用し、両者を合わせてバックパネル４，５によって作用する伸張力の例えば約２５％の伸張力が人体の前面側に向けて作用するように設定されている。
【００９４】
そして、この約２５％の伸張力は、長さがＬ０だけ短く設定されたフロントパネル１０及び縮小部５０が伸張することにより拮抗し、バストカップ体１３に人体の中央部側に引っ張る引張力が作用し、着用時にバストカップの基底輪郭部に変形が生じるのを抑制することができるとともに、フロントパネル１０による安定保持が可能となる。
【００９５】
その他の構成及び作用は、前記実施の形態と同様であるので、その説明を省略する。
【００９６】
実施の形態３
図１２はこの発明の実施の形態３を示すものであり、前記実施の形態１と同一の部分には同一の符号を付して説明すると、この実施の形態３では、前記バストカップ体及び前記身頃体は、前記バスト基底部の体側部に、前記バスト基底部の内側及び外側にそれぞれ位置するよう湾曲した形状に切り欠いた第２の切欠部を有しているとともに、前記第２の切欠部の対向する端縁同士を接合し、人体側に向けて凹形状に形成されている。
【００９７】
また、この実施の形態３では、前記第２の切欠部のうち、前記身頃体に設けられる切欠部を前記バストカップ体に設けられる切欠部よりも短く設定するように構成されている。
【００９８】
さらに、この実施の形態３では、前記バストカップ体を構成する前記上カップパネルと下カップパネルとの接合部は、前記バストトップよりも体側部側において対向する端縁に、当該端縁よりも内側に向けて切り欠いた第３の切欠部を有し、当該第３の切欠部の対向する端縁同士を接合し、前記バストトップよりも体側部側の領域を人体側に向けて凹形状に形成するよう構成されている。
【００９９】
図１２はこの実施の形態３に係るブラジャーの外観形状を示す斜視構成図である。
【０１００】
すなわち、この実施の形態３では、図１３及び図１４に示すように、バストカップ体１３及びフロントパネル１０のバスト基底部の体側部側に、バストカップ体１３及びフロントパネル１０を内側に湾曲した形状に切り欠いた第２の切欠部４２，４３がそれぞれ設けられている。
図１５は、図１４に示すパネルから切欠部を切除した後のパネルを示す構成図である。
【０１０１】
更に説明すると、フロントパネル１０の凹形状に形成された湾曲部３０の体側部側の上部には、図１４（ｃ）に示すように、バストカップ体１３側に向けて突出した突起部３４が設けられている。また、フロントパネル１０の湾曲部３０には、突起部３４を境にしてバスト基底部輪郭１２の外側に向けて湾曲した形状に切り欠いた第２の切欠部４３が設けられている。また、フロントパネル１０の凹形状に形成された体側部側の上端縁３３は、第２の切欠部４３が設けられている分だけ傾斜角度が垂直に近い急角度に設定されており、バストを中央部に寄せる効果を補助している。
【０１０２】
上記フロントパネル１０の体側部側の上端縁３３’は、その角度を人体のバストの弾力性に応じて設定し、バストの弾力性が大きい程、垂直に近い急角度に設定するとともに、バストの弾力性が小さい場合には、傾斜角度が小さくなるよう設定することにより、バストカップ体１３の形状を人体のバストの弾力性にかかわらず所望の形状に近い形状とすることが可能となる。
【０１０３】
また、上記第２の切欠部４２，４３のうち、フロントパネル１０に設けられる切欠部４３の長さをバストカップ体１３に設けられる切欠部４２よりも短く設定するように構成しても良い。このように構成することにより、バストカップ体１３側の凹状化を促進することができ、バストカップ体１３のバスト基底部を人体の中央部寄りに移動させることが可能となる。
【０１０４】
また、上カップパネル１７の体側部側端縁２３には、斜線を施した領域４２が切り欠かれており、この切欠領域４２は、第２の切欠部４２の一部を構成している。
【０１０５】
一方、下カップパネル１８の下端縁２６ｂには、人体の体側部側の端部に位置する斜線を施した領域４２が切り欠かれており、当該切り欠かれた第２の下端縁２６ｂ’は、バストカップ体１２の下カップパネル１７側に設けられる第２の切欠部４２の一部を構成している。そして、これらの第２の切欠部４２，４３は、互いに対向する端縁同士が縫着され、バスト基底部１２の体側部側に位置する領域が人体側に向けて凹形状に形成されている。
【０１０６】
さらに、上カップパネル１７の第２の下端縁２４ｂは、斜線を施した領域を切り欠いた第３の切欠部４４が設けられている。図１５中、符号２４ｂ’は、第３の切欠部４４が切り欠かれた上カップパネル１７の第２の下端縁２４ｂを示している。
【０１０７】
また、下カップパネル１８の上端縁２５ｂには、斜線を施した領域を切り欠いた第３の切欠部４５が設けられている。
【０１０８】
そして、これらの第３の切欠部４４，４５は、互いに対向する端縁同士が縫着され、図１２に示すように、バストカップ体１３のバストトップよりも体側部側に位置する側面の領域１３ｃが人体側に向けて凹形状に形成されている。そのため、上記第３の切欠部４４，４５によって形成される凹形状により女性のバストは、人体の中央部寄りに押圧されて移動する。
【０１０９】
さらに、この実施の形態では、図１３及び図１４に示すように、フロントパネル１０とバックパネル４，５との接合部に内側に向けて凹形状に切り欠いた第４の切欠部６０，６１が設けられており、フロントパネル１０とバックパネル４，５の第４の切欠部６０を切り欠いた端縁部６２，６３同士を縫着することで、フロントパネル１０とバックパネル４，５との接合部が人体側に向けて凹形状に形成され、人体にフィットするように構成されている。
【０１１０】
また、図１４に示す突起部３４は、湾曲化の終点であり、バスト基底底辺の拡張を当該領域を以て止めることができ、当該突起部３４を以てフロントパネル１０の下辺の楔状切削化を図る縮小部５０と連動し、アンダーバスト周囲長の人体に対する張力をコントロールすることが可能となる。更に説明すると、突起部３４は、フロントパネル１０に第１の切欠部４１と第２の切欠部４３を設けた結果形成される突起部であるが、当該突起部３４は、基本とするフロントパネル１０の輪郭線を形成するものであり、フロントパネル１０の伸張によって接合される段階でバストカップ体１３とフィットすることとなり、縮小部５０を内在化したフロントパネル１０によって必要以上の力が上部輪郭線に作用するのを阻止する作用を果たす。
【０１１１】
このように、上記実施の形態では、バスト基底部１２の人体の体側部側に第２の切欠部４２，４３を設けることにより、バスト基底部１２の体側部側を人体側に向けて凹形状に形成し、バスト基底部１２の体側部側を人体の中央部側に向けて押圧してバストの基底部自体を移動させることができる。
【０１１２】
また、この実施の形態では、バストカップ体１３の人体の体側部側に第３の切欠部４４，４５を設けることにより、バストカップ体１３の体側部側を人体側に向けて凹形状に形成し、バストの体側部側の領域を人体の中央部側に向けて押圧することで移動させることができる。
【０１１３】
さらに、この実施の形態では、フロントパネル１０とバックパネル４，５との接合部に第４の切欠部６０，６１を設け、この第４の切欠部６０，６１の対向する端縁同士を縫着等の手段で接合することにより、フロントパネル１０とバックパネル４，５との接合部を人体側に向けて凹形状に形成することができ、フィット性を高めることが可能となる。
【０１１４】
図１６は、この実施の形態に係るブラジャー１を従来の二次元パターンにより形成する場合と比較して図示しものである。尚、図中、実線は本実施の形態に係るブラジャー１を、破線は従来の二次元パターンによるブラジャーをそれぞれ示している。
【０１１５】
また、図１６に示す実施の形態では、フロントパネル１０に設けられる第１の切欠部４１の曲率をバストカップ体１３の曲率より大きく設定した状態を示しており、その結果として、突起部３４が縫着前の状態でバストカップ体１３側に突出した状態で図示されている。実際には、バストカップ体１３の第１及び第２のの切欠部４０，４２とフロントパネル１０の第１及び第２の切欠部４１，４３とが縫着されることによって接合されることで、突起部３４もバストカップ体１３の端縁に縫着される。
【０１１６】
なお、突起部３４の効果をより一層発揮させる目的で図１７に示すようにフロントパネル１０の体側部側の領域（ハッチング部）に裏当て部材を設ける等の手段により、当該領域の伸張率を抑えるように構成することが望ましい。
【０１１７】
その他の構成及び作用は、前記実施の形態と同様であるので、その説明を省略する。
【０１１８】
また、フロントパネル１０、１１には、図１８に示すように、バスト基底部１２の下端部から体側部にわたる領域に裏当部材７０を設けることにより、フロントパネル１０、１１による人体の体側部側の保持力を高めるように構成しても良い。
【０１１９】
さらに、下カップパネル１７に設けられる略Ｖ字形状の溝部２７の対向する端縁を、図１９に示すように、内側に凹形状又は外側に凸形状に形成することができる。そのため、バストカップ体１３の下カップ１３ｂで支持されるバストを前上部に移動させる力を形成することができ、当該移動力によって移動したバスト容積量を以て、隆起した魅惑的な乳房シルエットを形成することが可能となる。
【０１２０】
また、図２０に示すように、下カップパネル１７の中央部側の上端縁２５ａを、図１５（ｂ）等に示す下カップパネル１７に比較して人体の中央部側上部に向けて膨出した湾曲形状に形成することにより、バストカップ体１３の人体の中央部側に位置する側面形状を人体の中央部側に向けて凸形状とし、バストを人体の中央部側に移動させて寄せる効果を更に高めるように構成しても良い。
【符号の説明】
【０１２１】
１：ブラジャー、２，３：バストカップ部、４，５：バックパネル、１０，１１：フロントパネル、１２：バスト基底部、１３：バストカップ体。
【図１】
2015127461.tif 000003
【図２】
2015127461.tif 000004
【図３】
2015127461.tif 000005
【図４】
2015127461.tif 000006
【図５】
2015127461.tif 000007
【図６】
2015127461.tif 000008
【図７】
2015127461.tif 000009
【図８】
2015127461.tif 000010
【図９】
2015127461.tif 000011
【図１０】
2015127461.tif 000012
【図１１】
2015127461.tif 000013
【図１２】
2015127461.tif 000014
【図１３】
2015127461.tif 000015
【図１４】
2015127461.tif 000016
【図１５】
2015127461.tif 000017
【図１６】
2015127461.tif 000018
【図１７】
2015127461.tif 000019
【図１８】
2015127461.tif 000020
【図１９】
2015127461.tif 000021
【図２０】
2015127461.tif 000022
【図２１】
2015127461.tif 000023